(57)【要約】 【課題】任意に選択された機能あるいはデータをセキュリティ対象とするか否かをその表示内容を直接見ながら指紋入力操作を行うだけで簡単に制御できるようにする。 【解決手段】ＣＰＵ1は、複数の機能の中から任意に選択された機能のデータが表示出力されている状態において、指紋センサ部１４によって今回読み取られた指紋データと予め指紋データメモリ２１に登録されている指紋データとを照合することによって正規なユーザであることを認証した際に、当該機能のセキュリティ状態を制御する。 【選択図】  図1
2007310638.tif 000002
【特許請求の範囲】
【請求項１】
指紋データを読み取る読取手段を有し、この読取手段によって読み取られた今回の指紋データと予め登録されている指紋データとを照合することによって正規なユーザを認証する指紋認証機能付き携帯端末装置であって、
複数の機能の中から任意の機能を選択する選択手段と、
この選択手段によって選択された機能のデータが表示出力されている状態において、前記読取手段によって指紋データが読み取られた際に、設定されている指紋データと今回読み取られた指紋データとを照合することによって正規なユーザか否かを認証する認証手段と、
この認証手段によって正規なユーザであることが認証された際に、当該機能のセキュリティ状態を制御する制御手段と、
を具備したことを特徴とする指紋認証機能付き携帯端末装置。
【請求項２】
前記制御手段は、前記選択手段によって選択された機能のセキュリティ状態を判別し、この判別結果に応じて当該機能をセキュリティ状態に設定するかその設定を解除するかの制御を行う、
ようにしたことを特徴とする請求項1記載の指紋認証機能付き携帯端末装置。
【請求項３】
前記制御手段は、選択機能をセキュリティ状態に設定し際に、現在表示中のデータを非表示の状態に変更する、
ようにしたことを特徴とする請求項１記載の指紋認証機能付き携帯端末装置。
【請求項４】
前記選択機能のデータが表示出力されている状態において、所定の操作に応答して前記読取手段を起動させると共に、その起動に伴って当該読取手段が起動状態にあることを識別表示する、
ようにしたことを特徴とする請求項１記載の指紋認証機能付き携帯端末装置。
【請求項５】
指紋データを読み取る読取手段を有し、この読取手段によって読み取られた今回の指紋データと予め登録されている指紋データとを照合することによって正規なユーザを認証する指紋認証機能付き携帯端末装置であって、
複数のデータの中から任意のデータを選択する選択手段と、
この選択手段によって選択されたデータが表示出力されている状態において、前記読取手段によって指紋データが読み取られた際に、設定されている指紋データと今回読み取られた指紋データとを照合することによって正規なユーザか否かを認証する認証手段と、
この認証手段によって正規なユーザであることが認証された際に、前記表示中のデータのセキュリティ状態を制御する制御手段と、
を具備したことを特徴とする指紋認証機能付き携帯端末装置。
【請求項６】
前記制御手段は、前記選択手段によって選択されたデータのセキュリティ状態を判別し、この判別結果に応じて当該データをセキュリティ状態に設定するか、その設定を解除するかの制御を行う、
ようにしたことを特徴とする請求項５記載の指紋認証機能付き携帯端末装置。
【請求項７】
前記制御手段は、前記選択手段によって選択されたデータが格納されているフォルダの種類を判別し、この判別結果に応じて当該データをセキュリティ対象とする特定フォルダに移動するか、この特定フォルダからセキュリティ対象外の別フォルダに移動するかの制御を行う、
ようにしたことを特徴とする請求項６記載の指紋認証機能付き携帯端末装置。
【請求項８】
前記特定フォルダ内のデータが選択された際に、前記読取手段によって今回読み取られた指紋データと予め登録されている指紋データとを照合することによって正規なユーザであることを認証したことを条件に当該データを表示出力させる、
ようにしたことを特徴とする請求項７記載の指紋認証機能付き携帯端末装置。
【請求項９】
コンピュータに対して、
複数の機能の中から任意の機能を選択する機能と、
選択された機能のデータが表示出力されている状態において、指紋データが読み取られた際に、設定されている指紋データと今回読み取られた指紋データとを照合することによって正規なユーザか否かを認証する機能と、
正規なユーザであることが認証された際に、当該機能のセキュリティ状態を制御する機能と、
を実現させるためのプログラム。
【請求項１０】
コンピュータに対して、
複数のデータの中から任意のデータを選択する機能と、
選択されたデータが表示出力されている状態において、指紋データが読み取られた際に、設定されている指紋データと今回読み取られた指紋データとを照合することによって正規なユーザか否かを認証する機能と、
正規なユーザであることが認証された際に、前記表示中のデータのセキュリティ状態を制御する機能と、
を実現させるためのプログラム。
【発明の詳細な説明】
【技術分野】
【０００１】
この発明は、今回読み取られた指紋データと予め登録されている指紋データとを照合することによって正規なユーザを認証する指紋認証機能付き携帯端末装置及びプログラムに関する。
【背景技術】
【０００２】
従来、指紋認証機能付き携帯端末装置としては、例えば、制限対象となる特定機能と指紋データとを対応付けた構成の機能制限管理データが記憶管理されている状態において、この特定機能に対応付けられている指紋データに基づいて特定機能の制限及び制限解除を行うようにした携帯端末装置が知られている（特許文献１参照）。
【特許文献１】特開平２００５−３２３０８３号公報
【発明の開示】
【発明が解決しようとする課題】
【０００３】
上述した先行技術にあっては、制限対象の機能と指紋データとを対応付けることができるために、プライバシ保護を要する機能に指紋データを対応付けておけば、指紋データに基づいて機能制限及びその制限解除を行うことが可能となるが、そのためには所定の操作手順にしたがった複数の操作が必要となる。
例えば、機能制限及びその制限解除を行う場合には、機能の起動中にセキュリティメニューを表示出力させ、このメニュー画面上でセキュリティ制限／解除を選択したのちに指紋入力操作を行うようにしているために複数の操作が必要となる。また、撮影画像などのデータに直接セキュリティ設定を行うことができない場合には、この画像データなどをセキュリティ設定されたフォルダに格納するようにしているが、このフォルダに対するセキュリティ設定と共に、画像データなどをこのフォルダに移動させる操作が必要となり、操作の煩雑化を招くことになる。
【０００４】
この発明の課題は、任意に選択された機能あるいはデータをセキュリティ対象とするか否かをその表示内容を直接見ながら指紋入力操作を行うだけで簡単に制御できるようにすることである。
【課題を解決するための手段】
【０００５】
請求項１記載の発明は、指紋データを読み取る読取手段を有し、この読取手段によって読み取られた今回の指紋データと予め登録されている指紋データとを照合することによって正規なユーザを認証する指紋認証機能付き携帯端末装置であって、複数の機能の中から任意の機能を選択する選択手段と、この選択手段によって選択された機能のデータが表示出力されている状態において、前記読取手段によって指紋データが読み取られた際に、設定されている指紋データと今回読み取られた指紋データとを照合することによって正規なユーザか否かを認証する認証手段と、この認証手段によって正規なユーザであることが認証された際に、当該機能のセキュリティ状態を制御する制御手段とを具備したことを特徴とする。
更に、コンピュータに対して、上述した請求項１記載の発明に示した主要機能を実現させるためのプログラムを提供する（請求項９記載の発明）。
【０００６】
なお、上述した請求項１記載の発明は次のようなものであってもよい。
前記制御手段は、前記選択手段によって選択された機能のセキュリティ状態を判別し、この判別結果に応じて当該機能をセキュリティ状態に設定するかその設定を解除するかの制御を行う（請求項２記載の発明）。
【０００７】
前記制御手段は、選択機能をセキュリティ状態に設定し際に、現在表示中のデータを非表示の状態に変更する（請求項３記載の発明）。
【０００８】
前記選択機能のデータが表示出力されている状態において、所定の操作に応答して前記読取手段を起動させると共に、その起動に伴って当該読取手段が起動状態にあることを識別表示する（請求項４記載の発明）。
【０００９】
請求項５記載の発明は、指紋データを読み取る読取手段を有し、この読取手段によって読み取られた今回の指紋データと予め登録されている指紋データとを照合することによって正規なユーザを認証する指紋認証機能付き携帯端末装置であって、複数のデータの中から任意のデータを選択する選択手段と、この選択手段によって選択されたデータが表示出力されている状態において、前記読取手段によって指紋データが読み取られた際に、設定されている指紋データと今回読み取られた指紋データとを照合することによって正規なユーザか否かを認証する認証手段と、この認証手段によって正規なユーザであることが認証された際に、前記表示中のデータのセキュリティ状態を制御する制御手段と、
を具備したことを特徴とする。
更に、コンピュータに対して、上述した請求項５記載の発明に示した主要機能を実現させるためのプログラムを提供する（請求項１０記載の発明）。
【００１０】
なお、上述した請求項５記載の発明は次のようなものであってもよい。
前記制御手段は、前記選択手段によって選択されたデータのセキュリティ状態を判別し、この判別結果に応じて当該データをセキュリティ状態に設定するか、その設定を解除するかの制御を行う（請求項６記載の発明）。
【００１１】
この場合、前記制御手段は、前記選択手段によって選択されたデータが格納されているフォルダの種類を判別し、この判別結果に応じて当該データをセキュリティ対象とする特定フォルダに移動するか、この特定フォルダからセキュリティ対象外の別フォルダに移動するかの制御を行うようにしてもよい（請求項７記載の発明）。
また、前記特定フォルダ内のデータが選択された際に、前記読取手段によって今回読み取られた指紋データと予め登録されている指紋データとを照合することによって正規なユーザであることを認証したことを条件に当該データを表示出力させるようにしてもよい（請求項８記載の発明）。
【発明の効果】
【００１２】
この発明は、任意に選択された機能あるいはデータをセキュリティ対象とするか否かをその表示内容を直接見ながら指紋入力操作を行うだけで簡単に制御することができ、操作性・利便性と共に確実性を向上させることが可能となる。
【発明を実施するための最良の形態】
【００１３】
以下、図１〜図１０を参照して本発明の実施例を説明する。
この実施例は、携帯端末装置として携帯電話装置に適用した場合を例示したもので、図１は、この携帯電話装置の基本的な構成要素を示したブロック図である。
この携帯電話装置は、通話機能、電子メール機能、インターネット接続機能（Ｗｅｂアクセス機能）、カメラ機能、指紋認証機能のほか、データ管理機能としてメール情報、アドレス帳情報、スケジュール帳情報などを管理する機能が備えられている。
【００１４】
ＣＰＵ１は、記憶部２内の各種のプログラムに応じてこの携帯電話装置の全体動作を制御する中核的な中央演算処理装置であり、このメインＣＰＵ１のほか、この携帯電話装置には、例えば、データの受送信機能、データの再生機能などの機能別に、複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図６〜図１０に示す動作手順に応じて本実施例を実現するためのプログラムが格納されているほか、各種の機能に対応するアプリケーションが格納されている。また、記憶部２のデータ領域には、後述する指紋データメモリ２１、シークレットテーブル２２、ロックフォルダ２３、メールメモリ２４、アドレス帳メモリ２５、スケジュール帳メモリ２６、タスクリストメモリ２７などが設けられている。
【００１５】
記録メディア３は、着脱自在な可搬型メモリで、画像データ、各種のデータ、プログラムを外部供給するもので、例えば、スマートメディア、ＩＣカードなどによって構成されている。メモリ４は、ワーク領域を有する内部メモリで、例えば、ＤＲＡＭ、ＳＤＲＡＭ（Synchronous DRAM）などによって構成され、必要に応じてメモリ４内の各種のデータは、記憶部２にセーブされる。電話通信部５は、携帯電話通信機能を構成するもので、アンテナ５Ａに接続された送受信部（ベースバンド部）の受信側から信号を取り込んで受信ベースバンド信号に復調したのちに、音響制御部６を介して受話スピーカ７から音声出力させる。また、電話通信部５は、送話マイク８から入力された音声データを音響制御部６から取り込み、送信ベースバンド信号に符号化したのちに送受信部の送信側に与えられてアンテナ５Ａから発信出力させる。
【００１６】
一方、電子メール機能、Ｗｅｂアクセス機能などによって電話通信部５を介して受信取得した表示データは、表示制御部９を介してＬＣＤ（液晶表示装置）などを備えたメイン表示部１０に与えられて表示出力される。メイン表示部１０は、文字情報、画像データ、各種のメッセージなどを高品位に表示し、装置本体の背面側に設けられたサブ表示部１１は、現在日時、簡易なメッセージ、アイコンなどを表示する。キー操作部１２は、ダイヤル入力、文字入力、コマンド入力などを行うもので、ＣＰＵ１は、キー操作部１２からのキー入力信号に応じた処理を実行する。カメラ撮像部１３は、静止画撮影のほかに動画撮影も可能なもので、撮影レンズ、ミラー等のレンズ・ミラーブロック、撮像素子、その駆動系のほか、測距センサ、光量センサ、アナログ処理回路、信号処理回路、圧縮伸張回路等を備え、光学ズームを調整制御したり、オートフォーカス時の駆動制御、シャッター駆動制御、露出、ホワイトバランス等を制御する。
【００１７】
指紋センサ部１４は、例えば、半導体方式によって指紋を読み取るもので、指紋の凹凸に応じた電荷量を電圧値に変換したのち、この電圧値をデジタル画像（指紋画像データ）に変換するもので、ＣＰＵ１は、指紋設定登録時に、指紋センサ部１４から得られた画像データを解析して指紋データ（指紋中心点、分岐点、端点、三角州など）を得ると共に、この指紋データを上述の指紋データメモリ２１に設定登録するようにしている。また、指紋認証時には指紋センサ部１４によって読み取られた今回の指紋画像データを解析することによって得られた指紋データと、指紋データメモリ２１に登録されている指紋データとを比較して特徴的に一致するか否かに基づいて正規なユーザか否かを判別するユーザ認証を行うようにしている。なお、指紋センサ部１４の実装上の制約からそのセンサ面（電極面）の小型化により指紋入力時には、図２に示すように指を所定方向（図中、上から下の方向）に移動しながら行うようにしている。
【００１８】
上述した指紋データメモリ２１は、指紋設定登録時に指紋センサ部１４から読み取られた指紋画像データを解析することによって得られた指紋データを記憶管理するテーブルである。シークレットテーブル２２は、図３に示すように、例えば、メール機能、アドレス帳機能、スケジュール帳機能、タスクリスト機能、メモ帳データ機能など、各種の機能に対応して現在のセキュリティ状態を示す「シークレットモード・フラグ」がセットされるテーブルである。「シークレットモード・フラグ」は、そのＯＮ（オン）／ＯＦＦ（オフ）に応じてシークレットモードの設定あるいはその解除を示すもので、このフラグが“ＯＮ”されているときにはセキュリティ・ロック状態となって対応する機能のデータが非表示状態となるが、このフラグが“ＯＦＦ”されているときにはセキュリティ・ロックが解除されて対応する機能のデータが閲覧可能となる。
【００１９】
ロックフォルダ２３は、任意に選択されたデータをセキュリティ・ロックの対象データとして記憶管理するもので、指紋認証によって正規なユーザであることが認証された場合には、そのフォルダ内のデータを自由に閲覧可能となるか、正規ユーザ以外の場合にはその閲覧を禁止するようにしている。したがって、例えば、画像フォルダ内から任意に選択されたフォトデータをロックフォルダ２３に移動すると、このフォトデータについては正規ユーザ以外の第３者による閲覧を禁止することができる。
【００２０】
図４は、任意に選択された機能（例えば、アドレス帳機能）にセキュリティ・ロックをかける場合を説明するための図である。
図４（Ａ）は、アドレス帳機能が選択されてそのデータとして「名前リスト」がアドレス帳メモリ２５から読み出されてメイン表示部１０に表示出力されている状態を示した図である。この画面内のピクトエリアには、受信強度、電池残量などのほか、指先の形をした指紋アイコンが表示され、指紋入力が可能であることが明示される。この状態において、指紋センサ部１４のセンサ面（電極面）に指で接触しながら図中、上から下の方向に移動すると（図４（Ｂ）参照）、この指紋入力に応じてユーザ認証が行われる。その結果、正規なユーザであれば、当該機能に対応するシークレットテーブル２２内の「シークレットモード・フラグ」がＯＮされてセキュリティ・ロックあるいはその解除が行われる。図４（Ｃ）は、アドレス帳機能の名前リスト画面にメッセージウインドウがポップアップ表示された状態を示し、このメッセージウインドウ内にはアドレス帳機能がセキュリティ・ロックされたことが案内表示される。
【００２１】
図５は、任意に選択されたデータ（例えば、フォトデータ）をロックフォルダ２３に移動する場合を説明するための図である。
図５（Ａ）は、画像フォルダ内から任意に選択されたフォトデータがメイン表示部１０に表示出力されている状態を示した図である。なお、この画面内のピクトエリアには、上述した場合と同様に、指先の形をした指紋アイコンが表示され、指紋入力が可能であることが明示される。この状態において、指紋センサ部１４のセンサ面（電極面）に指で接触しながら図中、上から下の方向に移動すると（図５（Ｂ）参照）、この指紋入力に応じてユーザ認証が行われる。その結果、正規なユーザであれば、当該フォトデータがロックフォルダ２３に移動あるいはロックフォルダ２３から元のフォルダ（画像フォルダ）に戻される。図５（Ｃ）は、フォトデータ画面にメッセージウインドウがポップアップ表示された状態を示し、このメッセージウインドウ内にはフォトデータがロックフォルダ２３に移動されたことが案内表示される。
【００２２】
次に、この実施例における携帯電話装置の動作概念を図６〜図１０に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２３】
図６〜図１０は、電源投入に伴って実行開始される携帯電話装置の全体動作を示したフローチャートである。
先ず、ＣＰＵ１は、電話通信部５を作動させて現在位置の登録応答を行うと共に、所定の待受画像を読み出して表示出力させながら電話／メールの待受状態となる（ステップＳ１）。この状態において、通話／メール着信有りを検出すると（ステップＳ２でＹＥＳ）、着信報知を行うと共に、通話処理あるいは受信メール着信処理を実行する(ステップＳ３)。
【００２４】
待受状態において何らかの操作が行われた場合には（ステップＳ４でＹＥＳ）、機能選択操作であるかを調べる（ステップＳ５）。いま、機能選択操作以外であれば（ステップＳ５でＮＯ）、図８のフローに移り、フォルダ選択操作が行われたか（ステップＳ３３）、データファイル選択操作が行われたかを調べるが（ステップＳ４３）、それ以外の操作であれば（ステップＳ４３でＮＯ）、更に、図１０のフローに移り、指紋登録操作が行われたかを調べ（ステップＳ６１）、指紋登録操作以外の操作であれば、その操作に対応する処理として、例えば、通話発信処理、メール作成処理、メール送信処理などを実行する（ステップＳ６６）。
【００２５】
待受状態において指紋登録操作が行われた場合には（図１０のステップＳ６１でＹＥＳ）、指紋センサ部１４を“ＯＮ”して作動可能状態にセットしたのち（ステップＳ６２）、指紋入力の操作ガイドを表示出力させる（ステップＳ６３）。ここで、ユーザは、このガイド表示に応答して指紋読取操作を行う（ステップＳ６４）。つまり、指紋センサ部１４を構成するセンサ面を指で接触しながらゆっくり移動してゆくと、指紋センサ部１４は、その移動に応じて指紋データを順次読み取る。この場合、指紋センサ部１４によって順次読み取られた各読み取りデータは、メモリ４のワーク域内に順次書き込まれて一時記憶される。そして、ＣＰＵ1は、この読み取りデータを解析することによって指紋中心点、分岐点、端点、三角州などの指紋データに変換し、この指紋データを認証用のデータとして指紋データメモリ２１に登録する（ステップＳ６５）。その後、図６のステップＳ１に戻り、待受状態となる。
【００２６】
また、待受状態において機能選択操作が行われた場合、例えば、機能メニューをオープンさせてその中から任意の機能が選択された場合には（図５のステップＳ５でＹＥＳ）、この選択機能に基づいてシークレットテーブル２２を検索し、「シークレットモード・フラグ」が“ＯＮ”されているかを調べる（ステップＳ６）。この場合、「シークレットモード・フラグ」が“ＯＦＦ”されているときには、セキュリティ・ロック状態が解除されているので、選択機能を立ち上げて（ステップＳ１４）、その機能のデータを表示出力させるが（ステップＳ１５）、「シークレットモード・フラグ」が“ＯＮ”されているときには、セキュリティ・ロック状態となっているので、ユーザ認証処理の実行に移る（ステップＳ７〜Ｓ１２）。
【００２７】
先ず、上述した場合と同様に、指紋センサ部１４を“ＯＮ”して作動可能状態にセットしたのち（ステップＳ７）、指紋入力の操作ガイドを表示出力させる（ステップＳ８）。このガイド表示に応答して指紋読取操作が行われると（ステップＳ９）、ＣＰＵ1は、指紋センサ部１４によって順次読み取られた読み取りデータを解析することによって指紋中心点、分岐点、端点、三角州などの指紋データに変換する。そして、指紋センサ部１４を“ＯＦＦ”したのち（ステップＳ１０）、指紋データメモリ２１から読み出した登録済みの指紋データと今回入力された指紋データとを比較し（ステップＳ１１）、指紋中心点、分岐点、端点、三角州などが特徴的に一致するか、つまり、両者の類似度は許容範囲内かを判別する（ステップＳ１１）。
【００２８】
その結果、許容範囲外であれば（ステップＳ１２でＮＯ）、選択機能の使用を禁止することを示すＮＧ（エラー）メッセージを表示出力させたのち（ステップＳ１３）、待受状態に戻るが（ステップＳ１）、両者の類似度が許容範囲内であれば、正規なユーザであると認証し（ステップＳ１２でＹＥＳ）、当該選択機能の使用を許可するためにその機能を立ち上げて（ステップＳ１４）、そのデータを表示出力させる（ステップＳ１５）。例えば、選択機能がアドレス帳機能であれば、図４（Ａ）に示すようにアドレス帳データ（例えば、名前リスト）を表示出力させる。
【００２９】
このように選択機能のデータが表示出力されている状態においては、指紋センサ部１４のセンサ面（電極面）に指でタッチされたか（ステップＳ１６）、何らかのキー操作が行われたかをチェックし（ステップＳ１７）、何らかのキー操作が行われた際に、それが選択機能の終了を指示する終了操作であれば（ステップＳ１８でＹＥＳ）、当該機能を終了させたのち（ステップＳ２０）、待受状態に戻るが（ステップＳ１）、終了操作以外の操作が行われた場合には（ステップＳ１８でＮＯ）、このキー操作に対応する処理として、例えば、選択機能がアドレス帳機能であれば、詳細情報表示処理、アドレス帳データの追加、削除などの編集処理などを実行する（ステップＳ１９）。
【００３０】
そして、ステップＳ１６に戻って指紋センサ部１４へのタッチ有無をチェックするが、この場合、ワンタッチあるいはホールドタッチに拘らず、指紋センサ部１４を作動可能状態とするためにそのセンサ面（電極面）に指がタッチしたか否かを検出するもので、タッチされたときには（ステップＳ１６でＹＥＳ）、図７のフローに移り、指紋センサ部１４を“ＯＮ”したのち（ステップＳ２１）、図４（Ａ）に示すように表示画面のピクトエリア内には、指紋センサ部１４が作動可能状態であることを示すために指紋アイコンを表示出力させる（ステップＳ２２）。
【００３１】
この状態において一定時間内（例えば、５秒以内）に指紋読取操作が行われたかをチェックし（ステップＳ２３）、指紋読取操作が行われなければ、指紋センサ部１４を“ＯＦＦ”すると共に（ステップＳ２４）、ピクトエリア内の指紋アイコンの表示を消去したのち（ステップＳ２５）、図６のステップＳ１６（タッチ／操作待ち状態）に戻るが、指紋読取操作が行われた場合には（ステップＳ２３でＹＥＳ）、今回読み取られた指紋データと指紋センサ部１４に登録されている指紋データとを比較する（ステップＳ２６）。その結果、指紋中心点、分岐点、端点、三角州などが特徴的に一致して両者の類似度が許容範囲内であるかを調べ（ステップＳ２７）、許容範囲外であれば、第３者による操作であると認識して図６のステップＳ１６（タッチ／操作待ち状態）に戻るが、許容範囲内であれば、正規なユーザであると認識し（ステップＳ２７でＹＥＳ）、この選択機能に基づいてシークレットテーブル２２を検索して「シークレットモード・フラグ」が“ＯＮ”されているかを調べる（ステップＳ２８）。
【００３２】
いま、「シークレットモード・フラグ」が“ＯＦＦ”されているときには、セキュリティ・ロック状態が解除されているので、このフラグを“ＯＦＦ”から“ＯＮ”に切り替えると共に（ステップＳ３０）、選択機能のデータを消去する（ステップＳ３１）。そして、この選択機能を終了させたのち（ステップＳ３２）、待受状態に戻る（図６のステップＳ１）。また、「シークレットモード・フラグ」が“ＯＮ”されているときには（ステップＳ２８でＹＥＳ）、このフラグを“ＯＮ”から“ＯＦＦ”に切り替えたのち（ステップＳ２９）、図６のステップＳ１６（タッチ／操作待ち状態）に戻り、以下、上述と同様の動作が繰り返される。
【００３３】
また、待受状態においてフォルダ選択操作が行われた場合には（図８のステップＳ３３でＹＥＳ）、この選択フォルダは、セキュリティ・ロック状態となっているロックフォルダ２３であるかを調べ（ステップＳ３４）、ロックフォルダ２３以外のフォルダであれば、この選択フォルダをオープンさせて当該フォルダの内容を表示出力させたのち（ステップＳ４２）、待受状態に戻る（図６のステップＳ１）。また、選択フォルダがロックフォルダ２３であれば（ステップＳ３４でＹＥＳ）、上述と同様のユーザ認証処理に移る。先ず、指紋センサ部１４を“ＯＮ”すると共に（ステップＳ３５）、指紋入力の操作ガイドを表示出力させる（ステップＳ３６）。
【００３４】
このガイド表示に応答して指紋読取操作が行われると（ステップＳ３７）、指紋センサ部１４によって順次読み取られた読み取りデータを解析して指紋中心点、分岐点、端点、三角州などの指紋データに変換する。そして、指紋センサ部１４を“ＯＦＦ”したのち（ステップＳ３８）、指紋データメモリ２１から読み出した登録済みの指紋データと今回入力された指紋データとを比較する（ステップＳ３９）。その結果、両者が許容範囲内であれば（ステップＳ４０でＹＥＳ）、選択フォルダをオープンさせて当該フォルダの内容を表示出力させるが（ステップＳ４２）、許容範囲外であれば（ステップＳ４０でＮＯ）、選択フォルダの使用を禁止することを示すＮＧ（エラー）メッセージを表示出力させたのち（ステップＳ４１）、待受状態に戻る（図６のステップＳ１）。
【００３５】
このようにして任意の選択フォルダをオープンさせた状態においてそのフォルダから任意のデータファイルを選択するファイル選択操作が行われた場合には（図８のステップＳ４３でＹＥＳ）、この選択ファイル内のデータをメイン表示部１０に表示出力させる（ステップＳ４４）。そして、指紋センサ部１４のセンサ面（電極面）に指でタッチされたか（ステップＳ４５）、何らかのキー操作が行われたかをチェックする（ステップＳ４６）。いま、何らかのキー操作が行われた際に、それが選択機能の終了を指示する終了操作であれば（ステップＳ４７でＹＥＳ）、当該データファイルをクローズしてフォルダ表示の状態に切り替えたのち（ステップＳ４９）、待受状態に戻るが（図６のステップＳ１）、終了操作以外の操作であれば（ステップＳ４７でＮＯ）、このキー操作に対応する処理として、例えば、選択ファイルの編集処理などを実行したのち（ステップＳ４８）、ステップＳ４５に戻ってタッチ有無をチェックする。
【００３６】
いま、指紋センサ部１４のセンサ面（電極面）がタッチされたときには（ステップＳ４５でＹＥＳ）、図９のフローに移り、指紋センサ部１４を“ＯＮ”したのち（ステップＳ５０）、図５（Ａ）に示すように表示画面内のピクトエリア内に指紋アイコンを表示出力させる（ステップＳ５１）。この状態において、一定時間内（例えば、５秒以内）に指紋読取操作が行われたかをチェックし（ステップＳ５２）、指紋読取操作が行われなければ、指紋センサ部１４を“ＯＦＦ”すると共に（ステップＳ５９）、ピクトエリア内の指紋アイコンの表示を消去したのち（ステップＳ６０）、図８のステップＳ４５（タッチ／操作待ち状態）に戻るが、指紋読取操作が行われた場合には（ステップＳ５２でＹＥＳ）、今回読み取られた指紋データと指紋センサ部１４に登録されている指紋データとを比較する（ステップＳ５３）。
【００３７】
その結果、両者の類似度が許容範囲外であれば（ステップＳ５４でＮＯ）、第３者による操作であると認識して図６のステップＳ４５（タッチ／操作待ち状態）に戻るが、許容範囲内であれば（ステップＳ５４でＹＥＳ）、正規なユーザであると認識してステップＳ５５に移り、選択データファイルはロックファイル２３内のファイルであるかを調べる。ここで、ロックファイル２３に格納されているデータファイルであれば（ステップＳ５５でＹＥＳ）、この選択データファイルを一般フォルダに移動させてそのセキュリティ・ロックを解除し（ステップＳ５７）、ロックファイル２３以外のファイルであれば（ステップＳ５５でＮＯ）、この選択データファイルをロックファイル２３に移動させてそのファイルをセキュリティ・ロックする（ステップＳ５６）。このようなファイル移動に伴ってその移動先を案内表示させる（ステップＳ５８）。例えば、図５（Ｂ）に示すように、当該データファイルがロックフォルダ２３に移動されたことが案内メッセージによって表示される。そして、図８のステップＳ４５（タッチ／操作待ち状態）に戻り、以下、上述の動作が繰り返される。
【００３８】
以上のように、この実施例においてＣＰＵ1は、複数の機能の中から任意に選択された機能のデータが表示出力されている状態において、指紋センサ部１４によって今回読み取られた指紋データと予め指紋データメモリ２１に登録されている指紋データとを照合することによって正規なユーザであることを認証した際に、当該機能のセキュリティ状態を制御するようにしたから、任意に選択された機能をセキュリティ対象とするか否かをその表示内容を直接見ながら指紋入力操作を行うだけで簡単に制御することができ、操作性・利便性と共に確実性を向上させることが可能となる。
【００３９】
ユーザ認証の結果、正規なユーザであれば、選択機能に対応してシークレットテーブル２２に設定されている「シークレットモード・フラグ」のＯＮ／ＯＦＦを判別し、このＯＮ／ＯＦＦに応じてセキュリティ・ロック状態あるいはロック解除状態に切り替えるようにしたから、現在のセキュリティ状態に応じたセキュリティ制御が可能となる。ここで、セキュリティ・ロックの状態では現在表示中の選択機能のデータが非表示状態となり、ロック解除の状態では選択機能のデータが閲覧可能となる。
また、選択機能のデータが表示出力されている状態において、指紋センサ部１４のタッチ操作に応答して指紋センサ部１４を起動させると共に、その起動に伴って指紋アイコンを表示するようにしたから、指紋センサ部１４が起動状態にあることを知らせることができる。
【００４０】
一方、複数のデータファイルの中から任意に選択されたデータファイルの内容が表示出力されている状態において、指紋センサ部１４によって今回読み取られた指紋データと予め指紋データメモリ２１に登録されている指紋データとを照合することによって正規なユーザであることを認証した際に、当該データファイルのセキュリティ状態を制御するようにしたから、任意に選択されたデータファイルをセキュリティ対象とするか否かをその表示内容を直接見ながら指紋入力操作を行うだけで簡単に制御することができ、操作性・利便性と共に確実性を向上させることが可能となる。
【００４１】
この場合、ユーザ認証の結果、正規なユーザであれば、選択されたデータファイルがセキュリティ対象のロックフォルダ２３に格納されているか、セキュリティ対象外の一般フォルダに格納されているかを判別し、その判別結果に応じて当該データファイルを一般フォルダからロックフォルダ２３に移動したり、ロックフォルダ２３から一般フォルダに移動するようにしたから、現在のセキュリティ状態に応じたセキュリティ制御が可能となる。なお、ロックフォルダ２３内のデータファイルが選択された際に、今回読み取られた指紋データと予め登録されている指紋データとを照合することによって正規なユーザであることを認証したことを条件に当該データファイルの内容を表示出力させるようにしたから、ロックフォルダ２３に格納されているデータファイルをセキュリティ対象とすることができる。
【００４２】
なお、上述した実施例においては、セキュリティ対象としてデータファイルを例示したが、ファイル単位に限らず、フォルダ単位であってあってもよく、また、同一フォルダ内に分類別に格納されているデータファイルのうち特定分類のデータファイルをセキュリティ対象としてもよい。更に、フォトデータに限らず、テキストデータなどであってもよい。また、機能としては、テレビ機能、ラジオ機能、電子マネー機能などであってもよい。
【００４３】
上述した実施例においては、指の移動方向を上から下あるいは下から上の場合を例示したが、上下方向に限らず、左右方向であってもよい。
また、指紋データの登録時には、どの指を使用して登録してもよく、また、２本の指を登録しておけば、更に、セキュリティ強化が可能となる。
その他、携帯電話装置に限らず、例えば、指紋認証機能付きのＰＤＡ・電子カメラ・電子腕時計・音楽再生機などの携帯端末装置であっても同様に適用可能である。
【図面の簡単な説明】
【００４４】
【図１】携帯端末装置として適用した携帯電話装置の基本的な構成要素を示したブロック図。
【図２】指紋センサ部１４の配置位置を示すと共に指の移動方向を示した図。
【図３】シークレットテーブル２２の内容を示した図。
【図４】任意に選択された機能（例えば、アドレス帳機能）にセキュリティ・ロックをかける場合を説明するための図であり、（Ａ）は、アドレス帳機能の「名前リスト」が表示出力されている状態を示し、（Ｂ）は、指紋センサ部１４のセンサ面（電極面）に指で接触しながら上から下の方向に移動させた状態を示し、（Ｃ）は、メッセージウインドウがポップアップ表示された状態を示した図。
【図５】任意に選択されたデータファイル（例えば、フォトデータ）をロックフォルダ２３に移動する場合を説明するための図であり、（Ａ）は、フォトデータが表示出力されている状態を示し、（Ｂ）は、指紋センサ部１４のセンサ面（電極面）に指で接触しながら上から下の方向に移動させた状態を示し、（Ｃ）は、メッセージウインドウがポップアップ表示された状態を示した図。
【図６】電源投入に伴って実行開始される携帯電話装置の全体動作を示したフローチャート。
【図７】図６に続く、フローチャート。
【図８】図６に続く、フローチャート。
【図９】図８に続く、フローチャート。
【図１０】図８に続く、フローチャート。
【符号の説明】
【００４５】
１  ＣＰＵ
２  記憶部
５  電話通信部
１０、１１  表示部
１２  キー操作部
１４  指紋センサ部
２１  指紋データメモリ
２２  シークレットテーブル
２３  ロックフォルダ
２４  メールメモリ
２５  アドレス帳メモリ
２６  スケジュール帳メモリ
２７  タスクリストメモリ
【図１】
2007310638.tif 000003
【図２】
2007310638.tif 000004
【図３】
2007310638.tif 000005
【図４】
2007310638.tif 000006
【図５】
2007310638.tif 000007
【図６】
2007310638.tif 000008
【図７】
2007310638.tif 000009
【図８】
2007310638.tif 000010
【図９】
2007310638.tif 000011
【図１０】
2007310638.tif 000012
【手続補正書】
【提出日】平成19年2月26日(2007.2.26)
【手続補正１】
【補正対象書類名】特許請求の範囲
【補正対象項目名】請求項３
【補正方法】変更
【補正の内容】
【請求項３】
前記制御手段は、選択機能をセキュリティ状態に設定した際に、現在表示中のデータを非表示の状態に変更する、
ようにしたことを特徴とする請求項１記載の指紋認証機能付き携帯端末装置。
【手続補正２】
【補正対象書類名】明細書
【補正対象項目名】０００２
【補正方法】変更
【補正の内容】
【０００２】
従来、指紋認証機能付き携帯端末装置としては、例えば、制限対象となる特定機能と指紋データとを対応付けた構成の機能制限管理データが記憶管理されている状態において、この特定機能に対応付けられている指紋データに基づいて特定機能の制限及び制限解除を行うようにした携帯端末装置が知られている（特許文献１参照）。
【特許文献１】特開２００５−３２３０８３号公報
【手続補正３】
【補正対象書類名】明細書
【補正対象項目名】００２６
【補正方法】変更
【補正の内容】
【００２６】
また、待受状態において機能選択操作が行われた場合、例えば、機能メニューをオープンさせてその中から任意の機能が選択された場合には（図６のステップＳ５でＹＥＳ）、この選択機能に基づいてシークレットテーブル２２を検索し、「シークレットモード・フラグ」が“ＯＮ”されているかを調べる（ステップＳ６）。この場合、「シークレットモード・フラグ」が“ＯＦＦ”されているときには、セキュリティ・ロック状態が解除されているので、選択機能を立ち上げて（ステップＳ１４）、その機能のデータを表示出力させるが（ステップＳ１５）、「シークレットモード・フラグ」が“ＯＮ”されているときには、セキュリティ・ロック状態となっているので、ユーザ認証処理の実行に移る（ステップＳ７〜Ｓ１２）。